(57)【要約】【課題】外郭の構成において、加熱部支持体及び外郭から、締結手段等の突起物を全く露出させない構成とすること。【解決手段】耐熱性の絶縁材からなる天板１１と、天板１１の下方に配置され鍋等を加熱する加熱部１４と、加熱部１４を下方から支持する加熱部支持板１７と、加熱部１４を駆動及び制御する基板１８と、基板１８を収納し、かつ上方が開放された箱状の外郭１９とを備え、外郭１９は、加熱部支持板１７の下方に配置されるとともに、外郭１９上方の縁のうちの少なくとも１辺に、外郭１９の内側に向かって突出する内側フランジ部２３を有し、内側フランジ部２３において、締結手段２６によって加熱部支持板１７と上方から機械的に締結された構成により、締結手段が、加熱部支持板及び外郭から露出することがないので、突起物がなく、外郭を触っても安心で、けがをしない機器となる。【選択図】図１
2014070880.tif 000002
【特許請求の範囲】
【請求項１】
耐熱性の絶縁材からなる天板と、前記天板の下方に配置され鍋等を加熱する加熱部と、前記加熱部を下方から支持する加熱部支持板と、前記加熱部を駆動及び制御する基板と、前記基板を収納し、かつ上方が開放された箱状の外郭とを備え、前記外郭は、前記加熱部支持板の下方に配置されるとともに、前記外郭上方の縁のうちの少なくとも１辺に、前記外郭の内側に向かって突出する内側フランジ部を有し、前記内側フランジ部において、締結手段によって前記加熱部支持板と上方から機械的に締結される組み込み式加熱調理器。
【請求項２】
前記外郭の上方の縁には、３辺に前記外郭の外側に向かって突出する外側フランジ部、１辺に前記内側フランジ部を設け、前記加熱部支持板の前記外側フランジ部に対応する各々の位置に、前記外側フランジ部と嵌合する爪を設けた請求項１に記載の組み込み式加熱調理器。
【請求項３】
耐熱性の絶縁材からなる天板と、前記天板を下方から支持する天板支持体と、前記天板の下方に配置され鍋等を加熱する加熱部と、前記加熱部を下方から支持する加熱部支持板と、前記加熱部を駆動及び制御する基板と、前記基板を収納し、かつ上方が開放された箱状の外郭とを備え、前記外郭は、前記加熱部支持板の下方に配置されるとともに、前記外郭上方の縁のうちの少なくとも１辺に、前記外郭の外側に向かって突出し、かつ上部に凸部を有する外側フランジ部を有し、前記外側フランジ部の凸部において、締結手段によって前記加熱部支持板と上方から機械的に締結され、かつ、前記締結手段の先端が、前記外側フランジ部の下面より下方に突出しない組み込み式加熱調理器。
【請求項４】
前記天板支持体の側面には、前記加熱部支持板との締結手段による複数の締結部を設け、前記締結部は、凹状に形成され、締結手段が前記天板支持体の側面の面より外側に露出しない、請求項３に記載の組み込み式加熱調理器。
【発明の詳細な説明】
【技術分野】
【０００１】
本発明は、組み込み式加熱調理器の外郭の構成に関するものである。
【背景技術】
【０００２】
従来、この種の組み込み式加熱調理器の外郭構成としては、例えば、外郭と天板支持体を締結するのに、外郭の縁に設けたフランジに下方から締結手段（ねじ等）によって、締結するものがあった  （例えば、特許文献１参照）。
【０００３】
図８は、前記文献１に記載された従来の外郭構成を示すものである。図８において、耐熱性の絶縁材からなる天板１は、下方から天板支持体２によって支持されている。天板支持体２外周部にはフランジ部を設けており、フランジ部と天板１の空間にシリコンなどの耐熱性の接着剤３が塗布され、両者を接着している。天板１、天板支持体２の下方には、調理器本体を構成する外郭４が配置され、内部には基板５などの部品が内蔵され、上方に設けられた外側フランジ部６を介して、下方から天板支持体２に複数の締結手段７で締結されている。
【先行技術文献】
【特許文献】
【０００４】
【特許文献１】特開２００９−１０９１６２号公報
【発明の概要】
【発明が解決しようとする課題】
【０００５】
しかしながら、前記従来の構成では締結手段７の頭が天板支持体２、及び外郭４の外側に露出し、調理器本体がキッチンへの組み込み式のため、調理器本体の下方には扉や引き出しが構成されている場合がほとんどで、扉から鍋を取り出したり、また引出しから小物を取り出したりする機会が大いにあり、調理器本体の外郭に指や手が当たりやすい状況下で、締結手段７にはエッジ処理はなされているとはいえ、当たったりして痛い思いをしてしまうという課題を有していた。
【０００６】
本発明は、上記従来の課題を解決するもので、外郭の構成において、加熱部支持体及び外郭から、締結手段等の突起物を全く露出させない構成とすることで、けがをすることがなく、強固で、かつ組立性の良い組み込み式加熱調理器を提供することを目的とする。
【課題を解決するための手段】
【０００７】
前記従来の課題を解決するために、本発明の組み込み式加熱調理器は、外郭上方の縁のうちの少なくとも１辺に、外郭の内側に向かって突出する内側フランジ部を有し、内側フランジ部において、締結手段によって加熱部支持板と上方から機械的に締結するとしたものである。
【０００８】
これによって、締結手段が、加熱部支持板及び外郭から露出することがないので、突起物がなく、外郭を触っても安心で、けがをしない機器を提供することができる。
【発明の効果】
【０００９】
本発明の組み込み式加熱調理器は、外郭上方の縁のうちの少なくとも１辺に、外郭の内側に向かって突出する内側フランジ部を有し、内側フランジ部において、締結手段によって加熱部支持板と上方から機械的に締結されることで、締結手段が、加熱部支持板及び外郭から露出することがないので、突起物がなく、外郭を触っても安心で、けがのしない機
器を提供できる。また、加熱部支持板と外郭は、締結手段で機械的に固定されるため、強固な機器を提供できるし、また上からの締結手段による締結のみで組立ができるため、組立性を良くすることができる。
【図面の簡単な説明】
【００１０】
【図１】本発明の実施の形態１における組み込み式加熱調理器の断面図
【図２】本発明の実施の形態１における組み込み式加熱調理器の展開図
【図３】本発明の実施の形態２における組み込み式加熱調理器の断面図
【図４】本発明の実施の形態２における組み込み式加熱調理器の展開図
【図５】本発明の実施の形態３における組み込み式加熱調理器の断面図
【図６】本発明の実施の形態３における組み込み式加熱調理器の詳細断面図
【図７】本発明の実施の形態４における組み込み式加熱調理器の断面図
【図８】従来の組み込み式加熱調理器の断面図
【発明を実施するための形態】
【００１１】
第１の発明は、耐熱性の絶縁材からなる天板と、天板の下方に配置され鍋等を加熱する加熱部と、加熱部を下方から支持する加熱部支持板と、加熱部を駆動及び制御する基板と、基板を収納し、かつ上方が開放された箱状の外郭とを備え、外郭は、加熱部支持板の下方に配置されるとともに、外郭上方の縁のうちの少なくとも１辺に、外郭の内側に向かって突出する内側フランジ部を有し、内側フランジ部において、締結手段によって加熱部支持板と上方から機械的に締結される構成とすることで、締結手段が加熱部支持板及び外郭から露出することがないため、突起物が露出しない安心でけがのしない機器を提供できる。
【００１２】
第２の発明は、特に、第１の発明の外郭の上方の縁には、３辺に外郭の外側に向かって突出する外側フランジ部、１辺に内側フランジ部を設け、加熱部支持板の外側フランジ部に対応する各々の位置に、外側フランジ部と嵌合する爪を設けた構成とすることにより、締結手段を減らしてかつ強度を確保できる強固な機器を提供できるのと同時に、安心でけがのしない機器をも提供できる。
【００１３】
第３の発明は、耐熱性の絶縁材からなる天板と、天板を下方から支持する天板支持体と、天板の下方に配置され鍋等を加熱する加熱部と、加熱部を下方から支持する加熱部支持板と、加熱部を駆動及び制御する基板と、基板を収納し、かつ上方が開放された箱状の外郭とを備え、外郭は、加熱部支持板の下方に配置されるとともに、外郭上方の縁のうちの少なくとも１辺に、外郭の外側に向かって突出し、かつ上部に凸部を有する外側フランジ部を有し、外側フランジ部の凸部において、締結手段によって加熱部支持板と上方から機械的に締結され、かつ締結手段の先端が、外側フランジ部の下面より下方に突出しない構成とすることで、締結手段が加熱部支持板及び外郭から露出することがないため、突起物が露出しない安心でけがのしない機器を提供できる。
【００１４】
第４の発明は、特に、第１の発明の天板支持体の側面には、加熱部支持板との締結手段による複数の締結部を設け、締結部は、凹状に形成され、締結手段が天板支持体の側面の面より外側に露出しない構成とすることにより、天板支持体の側面からも締結手段の突起物が露出しないため、より安心でけがのしない機器を提供できる。
【００１５】
以下、本発明の実施の形態について、図面を参照しながら説明する。なお、本実施の形態によって本発明が限定されるものではない。
【００１６】
（実施の形態１）
図１は本発明の第１の実施の形態における組み込み式加熱調理器の断面図、図２は本発
明の第１の実施の形態における組み込み式加熱調理器の展開図を示すものである。
【００１７】
図１、図２において、鍋等を載置する耐熱性の絶縁材であるセラミックプレート等で構成された天板１１があり、天板１１を下方から支持し、板金で構成された天板支持体１２が構成されている。両者は、シリコン接着剤１３で接着されている。
【００１８】
天板１１の下方には、天板１１上に載置された鍋等を加熱する加熱部１４が配置され、ここでは誘導加熱を行う加熱コイル１５と加熱コイルを支持する支持台１６で形成されている。これらのユニットが４つ、加熱部支持板１７の上に載置されている。
【００１９】
加熱部支持板１７の下方には、加熱部１４を駆動、制御する基板１８があり、同じく加熱部支持板１７の下方に設けられた上方に開口部を設けた箱状の外郭１９の中に収納されている。
【００２０】
このように、加熱部支持板１７を境に加熱部のブロック（上）  と、基板のブロック（下）に分ける構成としている。これは、両者のブロックとも発熱部品を多く有しており、冷却ファンにより冷却を行う必要があるのだが、各ブロックに分けた方が、冷却性能を各ブロックで完結することができ効率的に冷却を行うことができるからである。
【００２１】
基板１８は、外郭１９の底面２０に設けられた凸部２１の穴に挿入されたスペーサー２２で、外郭１９の底面２０と隙間を設けて支持されている。スペーサー２２の下面は、外郭１９の底面２０より、上の位置に配置されている。
【００２２】
外郭１９の上面の縁には各辺に内向きに９０°に曲げられた内側フランジ部２３が形成され、内側フランジ部２３の上面から下面にかけて突出穴２４が開けられている。
【００２３】
外郭１９の突出穴２４の位置に対応する加熱部支持板１７の底面には、孔２５が設けられ、各辺の孔２５と突出穴２４の間を締結手段２６（ここでは、ねじ）により、締結することにより、加熱部支持板１７と外郭１９を機械的に固定している。
【００２４】
また、天板支持体１２と加熱部支持板１７を側面から締結することで、天板１１、天板支持体１２、加熱部支持板１７、外郭１９で構成される外郭ユニットが全て固定され、外郭を構成している。
【００２５】
外郭１９は、内側フランジ部２３を形成することで、基板１８を収容する面積を外側フランジ部にする場合よりも多く確保できている。
【００２６】
以上のように構成された組み込み式加熱調理器の本体構成について、以下その動作、作用を説明する。
【００２７】
まず、上記構成において、加熱部支持板１７と外郭１９の外郭の構成及び固定方法を考える。外郭１９の縁には、内向きの内側フランジ部２３が各辺に構成され、そこに開けられた突出穴２４に対して、締結手段２６であるねじを各辺、上方から加熱部支持板１７の孔２５を介して締結している。これらの締結で加熱部支持板１７と外郭１９が機械的に固定されている。
【００２８】
ところが、外郭１９の内側フランジ部２３は内向きに曲げられているため、締結された締結手段２６の先端は、外郭１９内部に存在するため、締結手段２６は、一切、外郭１９の外側に露出しないのである。
【００２９】
また、基板１８の締結においても、外郭１９の底面に凸部２１を設け、スペーサー２２が外郭１９の底面２０より下方に出ないように固定しているため、外郭１９の底面２０より露出しない構成となっている。
【００３０】
外郭構成において、締結手段であるねじやスペーサーが、全く露出しない構成を絞りや曲げの簡単、容易、低コストである工法で実現できる。
【００３１】
これらの構成により、ねじの先端、頭等の突起物が外郭の外側に出さなくできる。また、加熱部支持板１７と外郭１９は、締結手段２６で確実に締結されるため、外郭としても、強固で強度を十分確保した構成を実現できる。
【００３２】
さらに、この構成を行うことにより、本体組立を行う際、外郭１９→スペーサー２２→基板１８→加熱部支持板１７→締結→加熱部１４→天板１１と下からの積上方式のみで、行うことができるため、本体をひっくり返すこともせずに効率的に組立を行うことができ、大幅な工数削減をも実現できる。
【００３３】
以上のように、本実施の形態においては、外郭上方の縁のうちの少なくとも１辺に、外郭の内側に向かって突出する内側フランジ部を有し、内側フランジ部において、締結手段によって加熱部支持板と上方から機械的に締結されることで、締結手段が、加熱部支持板及び外郭から露出することがないので、外郭の外側に突起物がなく、外郭を触っても安心で、けがのしない機器を提供できる。
【００３４】
また、加熱部支持板と外郭は、締結手段で機械的に確実に固定されるため、容易に強固な機器を低コストで提供できる。また、組立性においても、積上方式のみ（  本体を裏返すことなし）で行うことができるため、効率的でかつ組み立てやすい機器をも提供することができる。
【００３５】
なお、本実施の形態の説明では、内向きの内側フランジ部は、４ヶ所で説明したが、１〜３ヶ所でもいいし、締結手段においても、ねじだけでなく上からセットできるクリップで固定させてもいい。
【００３６】
また、基板の固定においても、全てスペーサーだけでなく、上方からのねじ締めも可能で、先端が外郭の底面より外側にでなければ、同様の効果が得られる。
【００３７】
また、加熱部も加熱コイルで説明したが、シーズヒーターやエンクロヒーター等の加熱手段でも同様の効果が得られる。
【００３８】
また、内側フランジ部は強度を確保した上で、できるだけ短いほうがいい。基板をセットする際、オーバーラップする箇所が少ないほうが組み立てやすいからである。
【００３９】
（実施の形態２）
図３は本発明の第２の実施の形態における組み込み式加熱調理器の断面図、図４は本発明の第２の実施の形態における組み込み式加熱調理器の展開図を示すものである。
【００４０】
図３、図４において、基本的な構成は実施の形態１と同様であるため、構成の違うところのみを説明する。
【００４１】
外郭２７の上面の縁には、３辺に外向きに９０°に曲げられた外側フランジ部２８が形成され、加熱部支持板１７底面には、外側フランジ部２８に対応する各々の位置に外側フランジ部２８と嵌合する爪２９が設けられている。
【００４２】
外側フランジ部２８と爪２９が嵌合することにより、外郭２７の３辺は、加熱部支持板１７に固定されている。
【００４３】
外郭２７の残りの１辺には、内向きに９０°に曲げられた内側フランジ部２３が形成され、内側フランジ部２３の上面から下面にかけて、突出穴３０が開けられている。
【００４４】
外郭２７の突出穴３０の位置に対応する加熱部支持板１７の底面には孔３１が設けられ孔３１と突出穴３０の間を締結手段３２（ここでは、ねじ）により締結することで、加熱部支持板１７と外郭２７を機械的に固定している。
【００４５】
以上のように構成された組み込み式加熱調理器の本体構成について、以下その動作、作用を説明する。
【００４６】
まず、上記構成において、加熱部支持板１７と外郭２７の外郭の構成及び固定方法を考える。外郭２７の３辺の縁には、外側フランジ部２８が構成されている。これら３辺の外側フランジ部２８をこれらに対応した位置にある爪２９にスライドして、外郭２７を加熱部支持板１７にセットする。
【００４７】
その後、外郭１９の縁には、内側フランジ部２３があるため、そこに開けられた突出穴３０に対して、締結手段３２であるねじを上方から加熱部支持板１７を介して締結している。
【００４８】
３ヶ所の爪２９との嵌合と、この締結で加熱部支持板１７と外郭２７が機械的に固定されている。ところが、外郭２７の内側フランジ部２３は内向きに曲げられているため、締結された締結手段３２の先端は、外郭２７内部に存在するため、締結手段３２は、一切、外郭２７の外側に露出しないのである。
【００４９】
かつ、３つの外側に曲げられた外側フランジ部２８も爪２９に嵌合されているため、突起物は露出しないのである。
【００５０】
また、基板１８の締結においても、外郭２７の底面に凸部２１を設け、スペーサー２２が外郭２７の底面３３より下方に出ないように固定しているため、外郭２７の底面３３より露出しない構成となっている。
【００５１】
外郭構成において、締結手段３２であるねじやスペーサーが、全く露出しない構成を絞りや曲げの簡単、容易、低コストである工法で実現できる。
【００５２】
これらの構成により、ねじの先端、頭等の突起物が外郭の外側に出さないようにできる。また、加熱部支持板１７と外郭２７は、締結手段３２で確実に締結されるため、外郭としても、強固で強度を十分確保した構成を実現できる。
【００５３】
さらに、この構成を行うことにより、本体組立を行う際、外郭２７→スペーサー２２→基板１８→加熱部支持板１７→締結→加熱部１４→天板１１と下からの積上方式のみで、行うことができるため、本体をひっくり返すこともせずに効率的に組立を行うことができるし、外郭と加熱部支持板をスライドしてセットするため、ねじの削減もできるため、部品点数の削減、大幅な工数削減をも実現できる。
【００５４】
以上のように、本実施の形態においては、外郭の上方の縁には、３辺に外郭の外側に向かって突出する外側フランジ部、１辺に内側フランジ部を設け、加熱部支持板の外側フラ
ンジ部に対応する各々の位置に、外側フランジ部と嵌合する爪を設けた構成とすることにより、締結手段を減らしてかつ強度を確保できる強固な機器を提供できるのと同時に、安心でけがのしない機器をも提供できる。
【００５５】
また、加熱部支持板と外郭は、締結手段で機械的に確実に固定されるため、容易に強固な機器を低コストで提供できる。また、組立性においても、積上方式のみ（本体を裏返すことなし）で行うことができるため、効率的でかつ組み立てやすい機器をも提供することができる。
【００５６】
なお、本実施の形態の説明では、３辺の外向きのフランジで説明したが、２辺、１辺でも同様の効果が得られる。当然、実施の形態１に記した同様の効果も得られる。
【００５７】
（実施の形態３）
図５は本発明の第３の実施の形態における組み込み式加熱調理器の断面図、図６は本発明の第３の実施の形態における組み込み式加熱調理器の詳細断面図を示すものである。
【００５８】
図５、図６において、基本的な構成は実施の形態１と同様であるため、構成の違うところのみを説明する。
【００５９】
外郭３４の上面の縁には、４ヶ所外向きに９０°に曲げられた外側フランジ部３５が形成され、外側フランジ部３５上には、上方向の凸部Ａ３６が設けられ、凸部Ａ３６に対応した加熱部支持板１７の位置には同様に凸部Ｂ３７が設けられ、締結手段３８により、両者は固定されている。締結手段３８は、外側フランジ部３５の下面３９より突出しない状態で固定している。
【００６０】
以上のように構成された組み込み式加熱調理器の本体構成について、以下その動作、作用を説明する。
【００６１】
まず、上記構成において、加熱部支持板１７と外郭３４の外郭の構成及び固定方法を考える。締結手段３８は、外郭３４の外側フランジ部３５の凸部Ａ３６と加熱部支持板１７の凸部Ｂ３７で締結されるが、外側フランジ部３５には凸部Ａ３６があるため締結手段３８の先端は、外側フランジ部３５の下面３９より突出しない。
【００６２】
つまり、突起物が外郭の外側へ露出しないのである。また、凸部Ａ３６と凸部Ｂ３７は、嵌合するため両者の位置決めもできるため、非常に組み立てやすくすることもできる。
【００６３】
以上のように、本実施の形態においては、外郭上方の縁のうちの少なくとも１辺に、外郭の外側に向かって突出し、かつ上部に凸部を有する外側フランジ部を有し、外側フランジ部の凸部において、締結手段によって加熱部支持板と上方から機械的に締結され、かつ締結手段の先端が、外側フランジ部の下面より下方に突出しない構成とすることにより、締結手段が、加熱部支持板及び外郭から露出することがないので、外郭の外側に突起物がなく、外郭を触っても安心で、けがのしない機器を提供できる。
【００６４】
また、加熱部支持板と外郭は、締結手段で機械的に確実に固定されるため、容易に強固な機器を低コストで提供できる。また、組立性においても、積上方式のみ（  本体を裏返すことなし）で行うことができるため、効率的でかつ組み立てやすい機器をも提供することができる。
【００６５】
なお、本実施の形態の説明では、４辺の外向きのフランジで説明したが、１〜３辺でも同様の効果が得られる。
【００６６】
また、加熱部支持体に凸部Ｂ３７を設けているが、平面部でも同様の効果が得られる。当然、実施の形態１、実施の形態２に記した同様の効果も得られる。
【００６７】
（実施の形態４）
図７は本発明の第４の実施の形態における組み込み式加熱調理器の断面図を示すものである。
【００６８】
図７において、基本的な構成は実施の形態１と同様であるため、構成の違うところのみを説明する。天板支持体１２の側面４０には、加熱部支持板１７と締結を行う締結部４１が設けられ、この締結部４１は、凹状に内側へのへこみがあり、ここに加熱部支持板１７への締結手段４２（ここでは、ねじ）で締結することにより、両者が機械的に固定されている。加熱部支持板１７への締結手段４２は、締結部４１の凹状のへこみにより、天板支持体１２の側面４０より内側に収められている。
【００６９】
以上のように構成された組み込み式加熱調理器の本体構成について、以下その動作、作用を説明する。
【００７０】
まず、上記構成において、天板支持体１２と加熱部支持板１７の外郭の構成及び固定方法を考える。天板支持体１２の側面４０には、加熱部支持板１７への締結手段４２による締結が複数あるが、それら全てが天板支持体１２の側面４０より、内側に収められ、突起物は露出されない。
【００７１】
以上のように、本実施の形態においては、天板支持体の側面には、加熱部支持板との締結手段による複数の締結部を設け、締結部は、凹状に形成され、締結手段が天板支持体の側面の面より外側に露出しない構成とすることにより、加熱部支持板及び外郭に加えて、天板支持体の側面からも締結手段の突起物が露出しないため、より安心でけがのしない機器を提供できる。当然、実施の形態１〜３に記した同様の効果も得られる。
【産業上の利用可能性】
【００７２】
以上のように、本発明にかかる組み込み式加熱調理器は、加熱部支持体及び外郭から、締結手段等の突起物がなく、外郭を触っても安心で、けがをしない外郭の構成であるので組み込み式で使用する調理機器等の用途に有効である。
【符号の説明】
【００７３】
１、１１  天板
２、１２  天板支持体
１３  シリコン接着剤
１４  加熱部
１５  加熱コイル
１６  支持台
１７  加熱部支持板
５、１８  基板
４、１９、２７、３４  外郭
２０、３３  底面
２１  凸部
２２  スペーサー
２３  内側フランジ部
２４、３０  突出穴
２５、３１  孔
７、２６、３２、３８  締結手段
６、２８、３５  外側フランジ部
２９  爪
３６  凸部Ａ
３７  凸部Ｂ
３９  下面
４０  側面
４１  締結部
４２  締結手段
【図１】
2014070880.tif 000003
【図２】
2014070880.tif 000004
【図３】
2014070880.tif 000005
【図４】
2014070880.tif 000006
【図５】
2014070880.tif 000007
【図６】
2014070880.tif 000008
【図７】
2014070880.tif 000009
【図８】
2014070880.tif 000010